(57)【特許請求の範囲】
【請求項１】
２台の内線端末を１台のディジタルライン回路に接続し、前記ディジタルライン回路をディジタル構内交換機に収容する構内交換システムにおいて、
前記ディジタルライン回路は、一方の内線端末に保存されている電話帳データを他方の内線端末に伝送し、保存するシーケンス制御を行う端末インタフェースパッケージを備え、
前記端末インタフェースパッケージは、前記内線端末とのインタフェースを取る通信インタフェース、データ伝送のシーケンス動作を制御するパッケージ制御手段、シーケンスプログラムを保存するパッケージ記憶手段を備え、
前記内線端末は、前記インタフェースパッケージとのインタフェースを取る通信インタフェース、前記電話帳データを保存する記憶手段、コマンドを入力するキー入力手段、データ伝送の状態を表示する表示手段、前記内線端末のシーケンス動作を制御する端末制御手段を備え、
前記一方の内線端末の前記端末制御手段は、前記キー入力手段に電話帳データコピーのコマンド投入があると、前記パッケージ制御手段に対してデータコピー開始動作を指示し、
当該パッケージ制御手段は、当該データコピー開始動作の指示により、前記他方の内線端末に電話帳データコピー受信可否を問合せし、
前記他方の内線端末の前記端末制御手段は、当該問合せに応じ、前記表示手段に当該電話帳コピーを許容するかの問合せを表示し、前記キー入力手段に電話帳データコピーを許容するコマンド投入があると前記パッケージ制御手段に対してデータコピー許容を指示し、
当該パッケージ制御手段は、当該データコピー許容の指示により、当該一方の内線端末にデータコピー許容を通知して、前記一方の内線端末と前記他方の内線端末間を接続し、
これによって、前記一方の内線端末に保存されている電話帳データを、前記他方の内線端末にコピーさせる伝送シーケンスを行わせる、
ことを特徴とする構内交換システム。
【請求項２】
前記端末インタフェースパッケージは、前記内線端末相互間でデータの送受信中には、前記ディジタル構内交換機を制御する主制御装置からの着信などの制御指令を拒否することを特徴とする請求項１記載の構内交換システム。
【発明の詳細な説明】
【技術分野】
【０００１】
本発明は構内交換システムに係り、特に構内交換機本体とは無関係に、内線端末相互間で電話帳などの固有データを伝送し、コピーして保存する構内交換システムに関する。
【背景技術】
【０００２】
電話帳などの端末固有のデータのバックアップ方法としては、交換機や、ネットワークを経由して、サーバや、それに準じた装置にデータを転送し、データをバックアップする方法がある（例えば「特許文献１」、「特許文献２」参照）。
【０００３】
また、交換機のデータに端末の固有データも持たせるようにして、交換機のデータをバックアップする方法がある（例えば「特許文献３」参照）。
【０００４】
いずれのデータバックアップ方法も端末から主制御装置にデータを移動する方法であり、サーバや、主制御装置にデータを確保するためのデータ記憶領域が必要である。また、データバックアップ、コピー等の動作も、それぞれ装置に必要になるため、それぞれの装置開発時にデータバックアップ動作のシーケンスを設計し、プログラミングしておく必要がある。
【特許文献１】特開２００３−２１９０５３号公報
【特許文献２】特開２００１−１７７６２４号公報
【特許文献３】特開２００３−０８７３０６号公報
【発明の開示】
【発明が解決しようとする課題】
【０００５】
近年、内線端末の機能の多様化、内線端末の保持する電話帳データなどのデータ量が増加する傾向に伴い、内線端末が有するデータを他の内線端末、他の装置または記憶装置にコピーまたはバックアップさせるためには、構内交換機の主制御装置の制御が係わることになり、内線端末のデータ量が膨大になると、主制御装置には、コピーまたはバックアップのための負荷が大きくなる課題がある。
【０００６】
この発明はこのような課題を解決するためになされたもので、その目的は構内交換機の主制御装置を動作させることなく、内線端末相互間でデータのコピーを実行することが可能な構内交換システムを提供することにある。
【課題を解決するための手段】
【０００７】
前記課題を解決するためこの発明に係る構内交換システムは、２台の内線端末を１台のディジタルライン回路に接続し、ディジタルライン回路をディジタル構内交換機に収容する構内交換システムにおいて、ディジタルライン回路は、一方の内線端末に保存されている電話帳データを他方の内線端末に伝送し、保存するシーケンス制御を行う端末インタフェースパッケージを備え、端末インタフェースパッケージが、内線端末とのインタフェースを取る通信インタフェース、データ伝送のシーケンス動作を制御するパッケージ制御手段、シーケンスプログラムを保存するパッケージ記憶手段を備え、内線端末が、インタフェースパッケージとのインタフェースを取る通信インタフェース、電話帳データを保存する記憶手段、コマンドを入力するキー入力手段、データ伝送の状態を表示する表示手段、内線端末のシーケンス動作を制御する端末制御手段を備え、一方の内線端末の前記端末制御手段が、キー入力手段に電話帳データコピーのコマンド投入があると、パッケージ制御手段に対してデータコピー開始動作を指示し、当該パッケージ制御手段が、当該データコピー開始動作の指示により、他方の内線端末に電話帳データコピー受信可否を問合せし、他方の内線端末の前記端末制御手段が、当該問合せに応じ、表示手段に当該電話帳コピーを許容するかの問合せを表示し、キー入力手段に電話帳データコピーを許容するコマンド投入があるとパッケージ制御手段に対してデータコピー許容を指示し、当該パッケージ制御手段が、当該データコピー許容の指示により、当該一方の内線端末にデータコピー許容を通知して、一方の内線端末と前記他方の内線端末間を接続し、これによって、一方の内線端末に保存されている電話帳データを、他方の内線端末にコピーさせる伝送シーケンスを行わせることを特徴とする。
【０００８】
この発明に係るディジタルライン回路は、一方の内線端末に保存されている電話帳などのデータを他方の内線端末に伝送し、保存するシーケンス制御を行う端末インタフェースパッケージを備えたので、ディジタル構内交換機の主制御装置を動作させることなく、内線端末相互間でデータのコピーを実行することができる。
【００１０】
また、この発明に係る端末インタフェースパッケージは、内線端末とのインタフェースを取る通信インタフェース、データ伝送のシーケンス動作を制御するパッケージ制御手段、シーケンスプログラムを保存するパッケージ記憶手段を備えたので、シーケンス動作制御により、内線端末相互間と端末インタフェースパッケージとでクローズしてデータの伝送を実行することができる。
【００１１】
また、この発明に係る内線端末は、端末インタフェースパッケージとのインタフェースを取る通信インタフェース、電話帳などのデータを保存する記憶手段、コマンドを入力するキー入力手段、データ伝送の状態を表示する表示手段、内線端末のシーケンス動作を制御する端末制御手段を備えたので、端末インタフェースパッケージのシーケンス動作に対応したシーケンス動作を実行することにより、コピーするデータの送受信およびデータの伝送状態を表示することができる。
【００１２】
また、この発明に係るシーケンス動作は、所定のコマンドに基づいてデータの送信、データの伝送、データの受信およびデータのコピーを実行するので、端末インタフェースパッケージを介して内線端末相互間でデータのコピーを実現することができる。
【００１３】
さらに、この発明に係る端末インタフェースパッケージは、内線端末相互間でデータの送受信中には、ディジタル構内交換機を制御する主制御装置からの着信などの制御指令を拒否することを特徴とする。
【００１４】
この発明に係る端末インタフェースパッケージは、内線端末相互間でデータの送受信中には、主制御装置からの着信などの制御指令を拒否するので、主制御装置から独立してデータコピーを優先することができる。
【発明の効果】
【００１７】
この発明に係るディジタルライン回路は、一方の内線端末に保存されている電話帳などのデータを他方の内線端末に伝送し、保存するシーケンス制御を行う端末インタフェースパッケージを備えたので、ディジタル構内交換機の主制御装置を動作させることなく、内線端末相互間でデータのコピーを実行することができ、内線端末相互間でデータのコピーを容易にして、利便性の向上を図ることができる。
【００１８】
また、この発明に係る端末インタフェースパッケージは、内線端末とのインタフェースを取る通信インタフェース、データ伝送のシーケンス動作を制御するパッケージ制御手段、シーケンスプログラムを保存するパッケージ記憶手段を備えたので、シーケンス動作制御により、内線端末相互間と端末インタフェースパッケージとでクローズしてデータの伝送を実行することができ、主制御装置を介在することなく、単純にデータのコピーを実現することができる。
【００１９】
さらに、この発明に係る端末インタフェースパッケージは、内線端末相互間でデータの送受信中には、主制御装置からの着信などの制御指令を拒否するので、主制御装置から独立してデータコピーを優先することができ、内線端末相互間のデータコピーを確実に実行することができる。
【００２０】
また、この発明に係る内線端末は、端末インタフェースパッケージとのインタフェースを取る通信インタフェース、電話帳などのデータを保存する記憶手段、コマンドを入力するキー入力手段、データ伝送の状態を表示する表示手段、内線端末のシーケンス動作を制御する端末制御手段を備えたので、端末インタフェースパッケージのシーケンス動作に対応したシーケンス動作を実行することにより、コピーするデータの送受信およびデータの伝送状態を表示することができ、内線相互間でデータのコピーを実現することができる。
【００２１】
さらに、この発明に係るシーケンス動作は、所定のコマンドに基づいてデータの送信、データの伝送、データの受信およびデータのコピーを実行するので、端末インタフェースパッケージを介して内線端末相互間でデータのコピーを実現することができ、データコピーの実用性ならびに容易性をアピールすることができる。
【発明を実施するための最良の形態】
【００２２】
以下、この発明の実施の形態を添付図面に基づいて説明する。図１はこの発明に係る構内交換システムの一実施の形態システム構成図である。図１において、構内交換システム１は、構内交換機を構成するディジタル構内交換機２と、内線端末を構成するディジタル多機能電話機ＴＥＬ１ａ，ＴＥＬ１ｂ〜ＴＥＬｎａ，ＴＥＬｎｂと、局線が接続される公衆網ＮＴとから構成されている。
【００２３】
ディジタル構内交換機２は、主制御装置４の接続制御により、通話路を形成する通話路スイッチ３と、ディジタル多機能電話機ＴＥＬ１ａ，ＴＥＬ１ｂ〜ＴＥＬｎａ，ＴＥＬｎｂが接続されるディジタルライン回路ＤＬ１〜ＤＬｎと、Ｉ基本インタフェース（２Ｂ＋Ｄ）回線を収容するＩインタフェースライン回路７、１次群インタフェース（２４Ｂ＋Ｄ）回線を収容する１時群インタフェースライン回路８と、構内交換機の全体の動作を制御する主制御装置４と、局データや交換機能データ、様々なデータテーブルを記憶する記憶装置５とから構成されている。なお、通話路スイッチ３、主制御装置４および記憶装置５は、制御バスＢＵＳを介して接続される。
【００２４】
ディジタルライン回路ＤＬ１は、例えばＩ基本インタフェース（２Ｂ＋Ｄ）の２チャネルを担当し、２台のディジタル多機能電話機ＴＥＬ１ａ（内線端末Ａ），ＴＥＬ１ｂ（内線端末Ｂ）が接続され、ディジタル多機能電話機ＴＥＬ１ａおよびディジタル多機能電話機ＴＥＬ１ｂにそれぞれ１チャネル（Ｂ：６４ｋｂｐｓ）の内線割当てがなされる。
【００２５】
ディジタルライン回路ＤＬ２〜ＤＬｎも、それぞれＩ基本インタフェース（２Ｂ＋Ｄ）の２チャネルを担当し、それぞれ２台のディジタル多機能電話機ＴＥＬ２ａ，ＴＥＬ２ｂ〜ＴＥＬｎａ，ＴＥＬｎｂが接続され、それぞれのディジタル多機能電話機に１チャネル（Ｂ：６４ｋｂｐｓ）の内線割当がなされる。
【００２６】
ディジタルライン回路ＤＬ１とディジタル多機能電話機ＴＥＬ１ａ，ＴＥＬ１ｂは、内線端末相互間で保存している電話帳などの固有データの送信、伝送、受信および保存を実行し、データのコピー（またはバックアップ）を行う＜データコピー単位＞を形成する。
【００２７】
また、ディジタルライン回路ＤＬ２〜ＤＬｎとディジタル多機能電話機ＴＥＬ２ａ，ＴＥＬ２ｂ〜ＴＥＬｎａ，ＴＥＬｎｂの間にも、それぞれ＜データコピー単位＞が形成されるので、ディジタルライン回路ＤＬ１とディジタル多機能電話機ＴＥＬ１ａ，ＴＥＬ１ｂの＜データコピー単位＞を取り上げて、内線端末相互間のデータコピーについて説明する。
【００２８】
ディジタルライン回路ＤＬ１は、ディジタル多機能電話機ＴＥＬ１ａまたはディジタル多機能電話機ＴＥＬ１ｂに保存されている電話帳などのデータをディジタル多機能電話機ＴＥＬ１ｂまたはディジタル多機能電話機ＴＥＬ１ａに伝送し、保存するシーケンス制御を行う端末インタフェースパッケージ６ａを備える。
【００２９】
端末インタフェースパッケージ６ａを備えたことにより、＜データコピー単位＞は、ディジタル構内交換機２の主制御装置４を動作させることなく、内線端末相互間でデータのコピーを実行することができる。
【００３０】
＜データコピー単位＞の構成ならびにシーケンス動作を説明するのに先立って、ディジタル構内交換機２の主制御装置４が係わる内線端末間の発着信動作について説明する。図２はこの発明に係る構内交換システムの内線相互間の発着信動作シーケンス図である。図２において、内線端末Ａ（ディジタル多機能電話機ＴＥＬ１ａ）から内線端末Ｂ（ディジタル多機能電話機ＴＥＬ１ｂ）に対して発信動作を実行すると、端末インタフェースパッケージ６ａが内線端末Ａのダイヤル発信を検出し、主制御装置４に発信動作を通知する。
【００３１】
主制御装置４は、内線端末Ｂへの着信動作を端末インタフェースパッケージ６ａに指令（着信指令）し、端末インタフェースパッケージ６ａから内線端末Ｂへ着信動作（リンガー鳴動指令）を実行する。
【００３２】
内線端末Ｂが着信に応答する応答動作をすると、端末インタフェースパッケージ６ａが内線端末Ｂの応答を検出し、内線端末Ｂの応答動作を主制御装置４に通知する。
【００３３】
応答通知を受けた主制御装置４は、通話路スイッチ３を制御して内線端末Ａと内線端末Ｂの通話パスを形成し、通話開始の指令を端末インタフェースパッケージ６ａに通知する。通話開始指令を受けた端末インタフェースパッケージ６ａから内線端末Ａおよび内線端末Ｂに通話開始の指令を通知することにより、内線端末Ａと内線端末Ｂの通話が可能になる。このように、内線端末相互間のダイヤル発信、着信ならびに通話などには、主制御装置４の制御が必ず必要とされることになる。
【００３４】
図３はこの発明に係る端末インタフェースパッケージの一実施の形態要部ブロック構成図である。図３において、端末インタフェースパッケージ６ａは、ディジタル多機能電話機ＴＥＬ１ａ（内線端末Ａ）が接続される内線Ｃ１ａを収容し、ディジタル多機能電話機ＴＥＬ１ａとのインタフェースを取る通信インタフェース９ａ、ディジタル多機能電話機ＴＥＬ１ｂ（内線端末Ｂ）が接続される内線Ｃ１ｂを収容し、ディジタル多機能電話機ＴＥＬ１ｂとのインタフェースを取る通信インタフェース９ｂ、内線端末Ａと内線端末Ｂ間のデータ伝送のシーケンス動作を制御するパッケージ制御手段１０、シーケンスのプログラミングを記憶するパッケージ記憶手段１１を備える。
【００３５】
端末インタフェースパッケージ６ａは、内線端末Ａから電話帳などの固有データの送信要求（コマンド）を受信すると、内線端末Ｂの未使用を確認し、内線端末Ａに送信許可のコマンドを通知し、通信インタフェース９ａと通信インタフェース９ｂとの間のデータパスＰａを形成する。
【００３６】
また、端末インタフェースパッケージ６ａは、内線端末Ａから内線端末Ｂへのデータ送信が開始されると、ビジー（使用中）を主制御装置４に通知し、内線端末Ａ，Ｂ相互間でデータの送受信中には、主制御装置４からの着信などの制御指令を拒否し、内線端末Ａ，Ｂ相互間のデータ伝送を継続させる。
【００３７】
このように、この発明に係る端末インタフェースパッケージ６ａは、内線端末Ａ，Ｂ相互間でデータの送受信中には、主制御装置４からの着信などの制御指令を拒否するので、主制御装置４から独立してデータコピーを優先することができ、内線端末Ａ，Ｂ相互間のデータコピーを確実に実行することができる。
【００３８】
さらに、端末インタフェースパッケージ６ａは、内線端末Ａおよび内線端末Ｂのデータ伝送に係わる状態を監視し、内線端末Ａおよび内線端末Ｂに状態表示をさせるための表示要求を送信する。
【００３９】
また、端末インタフェースパッケージ６ａは、内線端末Ａ，Ｂ相互間のデータ伝送の終了を監視し、終了を検出した場合には、主制御装置４へのビジー（使用中）を停止する。
【００４０】
このように、この発明に係る端末インタフェースパッケージ６ａは、内線端末Ａ，Ｂとのインタフェースを取る通信インタフェース９ａ，９ｂ、データ伝送のシーケンス動作を制御するパッケージ制御手段１０、シーケンスプログラムを保存するパッケージ記憶手段１１を備えたので、シーケンス動作制御により、内線端末Ａ，Ｂ相互間と端末インタフェースパッケージ６ａとでクローズしてデータの伝送を実行することができ、主制御装置４を介在することなく、単純にデータのコピーを実現することができる。
【００４１】
図４はこの発明に係るディジタル多機能電話機の一実施の形態概観図である。図４において、ディジタル多機能電話機ＴＥＬは、通話を行う為のハンドセットＨＳ、データ伝送の様々な状態を表示する表示器ＬＣＤ、固有データの送受信のために、コマンドを入力するキーボードＫＥＹが設けられている。
【００４２】
図５はこの発明に係るディジタル多機能電話機の一実施の形態要部ブロック構成図である。図５において、ディジタル多機能電話機ＴＥＬは、固有データの送信、伝送、受信、記憶の状態を表示する表示手段１２、固有データの送受信に必要とされるコマンドを入力するキー入力手段１３、内線端末の着信、保留などを色表示する発光ダイオード１５を備える。
【００４３】
また、ディジタル多機能電話機ＴＥＬは、表示手段１２、キー入力手段１３および発光ダイオード１５とのインタフェースを取るインタフェース１６、端末インタフェースパッケージ６ａのシーケンスに対応した内線端末のシーケンス動作を制御する端末制御手段１８、電話帳などの固有データ、シーケンスプログラムを記憶する記憶手段１９、音声信号を音声データにコード化し、音声データを音声信号にデコードする音声コーデック１７、通話をするためのハンドセット１４、端末インタフェースパッケージ６ａとのインタフェースを取る通信インタフェース２０を備える。
【００４４】
ディジタル多機能電話機ＴＥＬは、端末インタフェースパッケージ６ａのシーケンスに合わせて固有データの送信、受信、記憶のシーケンス動作を実行するとともに、シーケンス動作に関連する状態の表示を実行する。
【００４５】
このように、この発明に係る内線端末（ディジタル多機能電話機ＴＥＬ）は、端末インタフェースパッケージ６ａとのインタフェースを取る通信インタフェース２０、電話帳などのデータを保存する記憶手段１９、コマンドを入力するキー入力手段１３、データ伝送の状態を表示する表示手段１２、内線端末のシーケンス動作を制御する端末制御手段１８を備えたので、端末インタフェースパッケージ６ａのシーケンス動作に対応したシーケンス動作を実行することにより、コピーするデータの送受信およびデータの伝送状態を表示することができ、内線相互間でデータのコピーを実現することができる。
【００４６】
図６はこの発明に係る＜データコピー単位＞の一実施の形態データコピーのシーケンス図である。なお、内線端末Ａから内線端末Ｂに固有データをコピーする場合について説明する。図６において、内線端末ＡのキーボードＫＥＹからデータコピーのコマンドを入力してデータコピー開始動作を行う。
【００４７】
データコピーのコマンドを受信した端末インタフェースパッケージ６ａは、データコピー先の内線端末Ｂが使用中か未使用中かを確認した後、コピーするデータを受信させる。なお、データコピーには、主に２つの方法がある。
【００４８】
１つ目の方法は、内線端末Ｂの表示器ＬＣＤに、「データコピー受信しますか？■YＥＳ  ＮＯ」等の表示をさせ、内線端末Ｂの使用者にデータコピー受信をするか、しないかを選択させる。
【００４９】
２つ目の方法は、内線端末Ｂが未使用であれば、無条件にデータコピー開始する。
【００５０】
内線端末Ｂがデータコピー受信する場合、この時点で端末インタフェースパッケージ６ａは、主制御装置４に対して内線端末Ａと内線端末Ｂがビジー（使用中の意）であることを通知する。
【００５１】
また、端末インタフェースパッケージ６ａは、内線端末Ａに対してデータコピーの開始（送信）を許容し、同時に内線端末Ａと内線端末ＢのデータパスＰａを形成する。
【００５２】
内線端末Ａから内線端末Ｂにデータの送信が行われると、端末インタフェースパッケージ６ａは、データコピー完了の監視を行い、その他のデータ転送プロトコルは、内線端末Ａおよび内線端末Ｂの相互間で、クローズする。
【００５３】
データ転送が完了した場合、もしくはなんらかのエラーが発生した場合、いずれの場合にも、内線端末Ａは、データコピー完了の信号を発生する。
【００５４】
端末インタフェースパッケージ６ａは、内線端末Ａと内線端末ＢのデータパスＰａを開放し、主制御装置４への内線端末Ａと内線端末Ｂのビジーをクリアした後、通常動作へ戻る。
【００５５】
データ転送エラーか成功完了かは、内線端末Ａの表示器ＬＣＤに表示し、端末使用者に分からせればよい。内線端末Ａおよび内線端末Ｂは、この表示とともに通常動作に戻る。
【００５６】
図７はこの発明に係るデータコピー表示の一実施の形態表示図である。図７において、ａ状態の表示には、内線端末Ａからのデータコピーを受信した場合、内線端末Ｂは、受信を「ＹＥＳ」または「ＮＯ」のいずれで選択するかを表示する。
【００５７】
ｂ状態の表示には、内線端末Ａからのデータコピー受信中に、使用不可であり、しばらくお待ちください。の内容を内線端末Ｂに表示する。
【００５８】
ｃ状態の表示には、内線端末Ａおよび内線端末Ｂは、データ送信（受信）エラー発生を表示する。
【００５９】
ｄ状態の表示には、内線端末Ａおよび内線端末Ｂは、データ送信（受信）完了を表示する。
【００６０】
ｅ状態の表示には、内線端末Ａは、データコピー送信失敗を表示する。
【００６１】
図８はこの発明に係る＜データコピー単位＞の一実施の形態データコピー拒否のシーケンス図である。なお、本実施の形態は、図６に示す内線端末Ｂが使用中、もしくはデータコピーを内線端末Ｂの使用者が拒否した場合のシーケンスである。
【００６２】
図８において、内線端末Ｂが使用中、もしくはデータコピー拒否であれば、端末インタフェースパッケージ６ａは、データコピー不可を内線端末Ａに通知し、内線端末Ａは、表示器ＬＣＤにその旨を表示し、内線端末Ａの使用者に認識させて、通常動作に戻る。
【００６３】
図９はこの発明に係る＜データコピー単位＞の別実施の形態データコピー禁止のシーケンス図である。なお、本実施の形態は、図６に示すデータコピーシーケンス中に主制御装置４からの着信等の制御指令が端末インタフェースパッケージ６ａに来た場合のシーケンスである。
【００６４】
図９において、端末インタフェースパッケージ６ａから主制御装置４に、内線端末Ａと内線端末Ｂのビジー（使用中）を通達するまでは、主制御装置４からなんらかの制御指令（例えば、着信）が来る可能性がある。
【００６５】
このような場合には、端末インタフェースパッケージ６ａ、内線端末Ａおよび内線端末Ｂの＜データコピー単位＞は、全てがデータコピーシーケンスを中断し、ただちに通常動作に戻る。
【００６６】
なお、内線端末Ａおよび内線端末Ｂのシーケンス動作は、キーボードＫＥＹから所定のコマンド（データ送信、データ受信、データ保存）を操作し、端末インタフェースパッケージ６ａのシーケンス動作は、予め設定した所定のコマンドで実行する。
【００６７】
そして、内線端末Ａおよび内線端末Ｂのシーケンス動作は、端末インタフェースパッケージ６ａのシーケンス動作に対応して実行されるように、シーケンスプログラムをそれぞれ端末インタフェースパッケージ６ａのパッケージ記憶手段１１、内線端末Ａおよび内線端末Ｂの記憶手段１９に記憶させておく。
【００６８】
このように、この発明に係るシーケンス動作は、所定のコマンドに基づいてデータの送信、データの伝送、データの受信およびデータのコピーを実行するので、端末インタフェースパッケージ６ａを介して内線端末Ａ，Ｂ相互間でデータのコピーを実現することができ、データコピーの実用性ならびに容易性をアピールすることができる。
【００６９】
以上説明したように、この発明に係るディジタルライン回路ＤＬ１は、一方の内線端末Ａに保存されている電話帳などのデータを他方の内線端末Ｂに伝送し、保存するシーケンス制御を行う端末インタフェースパッケージ６ａを備えたので、ディジタル構内交換機２の主制御装置４を動作させることなく、内線端末Ａ，Ｂ相互間でデータのコピーを実行することができ、内線端末相互間でデータのコピーを容易にして、利便性の向上を図ることができる。
【００７０】
なお、本実施の形態では、端末インタフェースパッケージ６ａ、内線端末Ａ（ディジタル多機能電話機ＴＥＬ１ａ）および内線端末Ｂ（ディジタル多機能電話機ＴＥＬ１ｂ）で構成される＜データコピー単位＞について説明したが、本発明は、ディジタル多機能電話機ＴＥＬ２ａ，ＴＥＬ２ｂおよび端末インタフェースパッケージ６ｂで構成される＜データコピー単位＞〜ディジタル多機能電話機ＴＥＬｎａ，ＴＥＬｎｂおよび端末インタフェースパッケージ６ｎで構成される＜データコピー単位＞にも同様に適用することができる。
【００７１】
また、任意のディジタル多機能電話機ＴＥＬ２ａ〜ＴＥＬｎｂをディジタル多機能電話機ＴＥＬ１ｂに置き換え、ディジタル多機能電話機ＴＥＬ１ａのデータをコピーした後、元の位置に戻しても、固有データをコピーすることができる。
【産業上の利用可能性】
【００７２】
本発明に係る構内交換システムは、構内交換機の主制御装置を動作させることなく、内線端末相互間でデータのコピーを実行することができ、基本インタフェース（２Ｂ）を２台の内線端末に割り当てるあらゆる構内交換システムに適用することができる。
【図面の簡単な説明】
【００７３】
【図１】この発明に係る構内交換システムの一実施の形態システム構成図
【図２】この発明に係る構内交換システムの内線相互間の発着信動作シーケンス図
【図３】この発明に係る端末インタフェースパッケージの一実施の形態要部ブロック構成図
【図４】この発明に係るディジタル多機能電話機の一実施の形態概観図
【図５】この発明に係るディジタル多機能電話機の一実施の形態要部ブロック構成図
【図６】この発明に係る＜データコピー単位＞の一実施の形態データコピーのシーケンス図
【図７】この発明に係るデータコピー表示の一実施の形態表示図
【図８】この発明に係る＜データコピー単位＞の一実施の形態データコピー拒否のシーケンス図
【図９】この発明に係る＜データコピー単位＞の別実施の形態データコピー禁止のシーケンス図
【符号の説明】
【００７４】
１    構内交換システム
２    ディジタル構内交換機
３    通話路スイッチ
４    主制御装置
５    記憶装置
６ａ〜６ｎ    端末インタフェースパッケージ
７    Ｉインタフェースライン回路
８    １時群インタフェースライン回路
９ａ，９ｂ    通信インタフェース
１０    パッケージ制御手段
１１    パッケージ記憶手段
１２    表示手段
１３    キー入力手段
１４    ハンドセット
１５    発光ダイオード
１６    インタフェース
１７    音声コーデック
１８    端末制御手段
１９    記憶手段
２０    通信インタフェース
ＤＬ１〜ＤＬｎ    ディジタルライン回路
ＴＥＬ１ａ，ＴＥＬ１ｂ〜ＴＥＬｎａ，ＴＥＬｎｂ    ディジタル多機能電話機
ＢＵＳ    制御バス
ＮＴ    公衆網
Ｃ１ａ，Ｃ１ｂ，Ｃｉ    内線
ＨＳ    ハンドセット
ＬＣＤ    表示器
ＫＥＹ    キーボード
Ｐａ    データパス
【図１】
0004411462.tif 000002
【図２】
0004411462.tif 000003
【図３】
0004411462.tif 000004
【図４】
0004411462.tif 000005
【図５】
0004411462.tif 000006
【図６】
0004411462.tif 000007
【図７】
0004411462.tif 000008
【図８】
0004411462.tif 000009
【図９】
0004411462.tif 000010